(57)【要約】【課題】翼の強度が高く、地中への打ち込み抵抗が小く、先端部が損傷、変形しにくい地中アンカーを提供する。【解決手段】地中アンカー１は、金属製で、中心筒部２、一対の翼部３、軸受部４、垂直翼部５を具備する。中心筒部２は基端側に打ち込み棒を受ける接続管部２ｃが開放し、尖って閉塞した先端へ向かって徐々に収縮して伸びる。翼部３は、水平面部３ｃ、折曲平面部３ｄ、フラップ部３ｅを具備する。軸受部４は、中心筒部２の上側面から上方へ起立する。垂直翼部５は、斜面５ａを有する概略三角形板状である。中心筒部２は、基端側に、後方に向かって下方へ下がる傾斜端面２ｅを有すると共に、地中に打ち込むための打ち込み棒を受ける底部２ｄを持つ接続管部２ｃを有する。【選択図】図１
2019044479.tif 000002
【特許請求の範囲】
【請求項１】
打ち込み棒により先端側から地中に打ち込まれ、牽引部材により地中において概略水平に引き起こされて地中に係留されるアンカーであって、
全体が金属で構成され、開放する後方の基端側から閉塞して尖った前方の先端へ向かって徐々に直径が収縮するようにまっすぐに伸びる中心筒部と、この中心筒部の相対向する両横側面から放射状に半径方向へ延びる一対の翼部と、前記中心筒部における前記一対の翼部から概略９０°離れた上側面から上方へ起立する軸受部と、この軸受部の上端に連続して前方に向かって前記中心筒部の先端部上面まで傾斜して下降する斜面を有する概略三角形板状の垂直翼部とを具備し、
前記中心筒部は、基端側に、後方に向かって下方へ下がる傾斜端面と、地中に打ち込むための前記打ち込み棒を受ける底部を持つ接続管部とを具備し、
前記翼部の外側縁は、前記中心筒部の軸線と平行に延びる平行側縁部と、この平行側縁の前方端に連続して前方に向かって集束するように直線状に伸びる傾斜側縁部とを具備し、
前記軸受部は、前記牽引部材の一端を回転自在に接続するための、前記中心筒部の軸線直交方向の引止ピンを支承可能に構成され、
前記翼部は、前記中心筒部の放射方向に延びる水平面部と、この水平面部の前記中心筒部から所定距離離れた位置において当該中心筒部の軸線に沿う折目に沿って上方へ折れ曲がって延びる折曲平面部と、前記水平面部の後端に連続し前記中心筒部の軸線直交方向の折り目に沿って前記中心筒部の傾斜端面と平行に折れ曲がって延びるフラップ部とを具備することを特徴とする地中アンカー。
【発明の詳細な説明】
【技術分野】
【０００１】
本発明は、湖沼の底などの地中に縦長の形で打ち込み、適切な深さに達した時にチェーンなどの牽引部材で引っ張って、水平な横方向の位置に回転させることにより地中に抜け止めする、平板型あるいは翼型の地中アンカーに関し、水面上に設置される設備等を牽引部材を介して係留するアンカーに係るものである。
【背景技術】
【０００２】
従来、平板型あるいは翼型のは地中アンカーとして、例えば特許文献１に記載されたものが知られている。この地中アンカーは、打ち込み棒を嵌め込む受け管と、この軸受け管から放射状に拡がる翼と、この翼から前方に突き出した地中推進用の鋭い先導端と、隆起して長手方向に伸び、地中で回転出来るようにシャックルを接続できるリブまたは峰部と、アンカの回転を容易にするために翼の後部にある鋭く尖った終端および軸受け管の後端にある唇状の曲がった拡張部とを持つ。
【先行技術文献】
【特許文献】
【０００３】
【特許文献１】特公平７−５７９４９号公報
【発明の概要】
【発明が解決しようとする課題】
【０００４】
上記従来の地中アンカーは、翼が平板状で、地中での回転抵抗による負荷で変形しやすいし、先端が先鋭でなく、地中への打ち込み時の抵抗が大きく、また使用により損傷、変形しやすいという問題点がある。
したがって、本発明は、翼の強度が高く、また地中への打ち込み抵抗が小く、先端部が損傷、変形しにくい地中アンカーを提供することを課題としている。
【課題を解決するための手段】
【０００５】
以下、添付図面の符号を参照して説明するが、本発明はこれに限定されるものではない。
上記課題を解決するための、本発明の地中アンカー１は、全体が金属で構成され、中心筒部２と、一対の翼部３と、軸受部４と、垂直翼部５とを具備する。中心筒部２は、後方の基端側が開放し、前方の先端へ向かって徐々に直径が収縮するようにまっすぐに伸び、先端が尖って閉塞している。一対の翼部３は、中心筒部２の相対向する両横側面から放射状に半径方向へ延びる。軸受部４は、中心筒部２における翼部３から９０°離れた上側面から放射状に上方へ起立する。垂直翼部５は、軸受部４の上端に連続して前方に向かって中心筒部２の先端部上面まで傾斜して下降する斜面５ａを有する概略三角形板状である。中心筒部２は、基端側に、後方に向かって下方へ下がる傾斜端面２ｅを有すると共に、地中に打ち込むための打ち込み棒を受ける底部２ｄを持つ接続管部２ｃを有する。翼部３の外側縁は、中心筒部２の軸線と平行に延びる平行側縁部３ａと、この平行側縁３ａの前方端に連続して前方に向かって集束するように直線状に伸びる傾斜側縁部３ｂとを具備する。軸受部４は、牽引部材１２の一端を回転自在に接続するための、中心筒部２の軸線直交方向の引止ピン１３を支承可能に構成される。翼部３は、中心筒部２の放射方向に延びる水平面部３ｃと、折曲平面部３ｄと、フラップ部３ｅとを具備する。折曲平面部３ｄは、水平面部３ｃにおける中心筒部２から所定距離離れた位置において中心筒部２の軸線に沿う折目３ｆに沿って上方へ折れ曲がって延びる。フラップ部３ｅは、水平面部３ｃの後端に連続し、中心筒部２の軸線直交方向の折り目３ｇに沿って中心筒部２の傾斜端面２ｅと平行に折れ曲がって延びる。
【発明の効果】
【０００６】
本発明の地中アンカー１は、翼部３が折目３ｆで屈折した形状であるため、地中での回転抵抗による負荷で翼部が容易に変形することがなく、また基端側が開放し、先端へ向かって直径が収縮するようにまっすぐに伸び、先端が尖って閉塞した中心筒部２を具備するため、地中への打ち込み時の抵抗が小く、先端部が損傷、変形しにくいという効果を有する。
【図面の簡単な説明】
【０００７】
【図１】本発明に係る地中アンカーの斜視図である。
【図２】図１の地中アンカーの正面図である。
【図３】図１の地中アンカーの平面図である。
【図４】図２におけるＩＶ−ＩＶ断面図である。
【図５】図３におけるＶ−Ｖ断面図である。
【図６】図１の地中アンカーの使用説明図である。
【発明を実施するための形態】
【０００８】
図面を参照して本発明の実施の形態を説明する。
地中アンカー１は、全体がステンレス鋼等の金属で構成され、中心筒部２と、一対の翼部３と、軸受部４と、垂直翼部５とを具備する。
【０００９】
中心筒部２は、後方の基端側が開放し、前方の先端へ向かって徐々に直径が収縮するようにまっすぐに伸び、先端が尖って閉塞している。中心筒部２は、ステンレス鋼管材を絞り加工してなる本体２ａの先端部に矢先部材２ｂを溶着してなる。本体２ａの基端側は、アンカー１を地中に打ち込むための打ち込み棒１１を受ける接続管部２ｃとなっている。本体２ａの中間部には、水平に貫通するピン２ｄが溶着され、これが接続管部２ｃの底を形成している。本体２ａの基端側は、後方に向かって下方へ下がる傾斜端面２ｅとなっている。
【００１０】
一対の翼部３は、中心筒部２の相対向する両横側面から放射状に半径方向へ延びる。翼部３の外側縁は、中心筒部２の軸線と平行に延びる平行側縁３ａと、この平行側縁３ａの前方端に連続して前方に向かって集束するように直線状に伸びる傾斜側縁部３ｂとを具備する。また、翼部３は、中心筒部２の放射方向に延びる水平面部３ｃと、折曲平面部３ｄと、フラップ部３ｅとを具備する。折曲平面部３ｄは、水平面部３ｃにおける中心筒部２から所定距離離れた位置において中心筒部２の軸線に沿う折目３ｆに沿って上方へ折れ曲がって延びる。フラップ部３ｅは、水平面部３ｃの後端に連続し、中心筒部の軸線直交方向の折り目３ｇに沿って中心筒部の傾斜端面２ｅと平行に折れ曲がって後方へ延びる。
【００１１】
軸受部４は、中心筒部２における翼部から概略９０°離れた上側面から横方向に並んで上方へ起立する平行一対のブラケット片４ａからなる。ブラケット片４ａは、横方向対向位置に軸受孔４ｂを具備し、前方が互いに接近するように屈折し、垂直翼部５に連続している。軸受孔４ｂには、チェーン等で構成される牽引部材１２の一端を回転自在に接続するための引止ピン１３が挿通固定される。
【００１２】
垂直翼部５は、概略直角三角形板状で、後端側の対辺において軸受部４の前端に連続し、中心筒部２の上面をそれの軸線方向前方に延びており、傾斜して下降する斜面５ａを有する。
【００１３】
地中アンカー１は、図６Ａないし図６Ｅに示すように、水底地中に設置して用いる。図６Ａに示すように、軸受部４にピン１３を介して牽引部材１２を接続すると共に、接続管部２ｃに打ち込み棒１１の先端部を挿入してアンカー１の垂直に立て、図示しない削岩機等により打ち込み棒１１に衝撃を与え、図６Ｂに示すように、アンカー１を水底Ｇの地中に打ち込む。中心筒部２の円錐筒状の先端部は、堅牢で、地中進行中に変形することはなく、先端部の外周側に土砂を排除しながら、アンカー１は、地中へ円滑に打ち込まれる。アンカー１が所定深さに到達したら、図６Ｃに示すように、打ち込み棒１１を外し、図６Ｄに示すように、牽引部材１２を引き上げる。アンカー１が、牽引部材１２による引き上げ力を受けると、中心筒部２の傾斜端面２ｅ及びフラップ部３ｅの先導により、上後方へ移動しながら、ピン１３を中心に先端側が上昇するように回転し、図６Ｅに示すように、ほぼ水平状態に到達する。アンカー１が、地中でほぼ水平状態なると、牽引部材１２による引き上げ力に対する抵抗が急激に増大し、地中に固定される。その後、牽引部材１２は、係留すべき構造物に接続される。折目３５で屈折している翼部３は、強度が高く、アンカー１の引き上げ時の負荷や、固定中の上方への引き上げ力により容易に変形することがない。
【符号の説明】
【００１４】
１      アンカー
２      中心筒部
２ａ    本体
２ｂ    矢先部材
２ｃ    接続管部
２ｄ    ピン（底部）
２ｅ    傾斜端面
３      翼部
３ａ    平行側縁
３ｂ    傾斜側縁
３ｃ    水平面部
３ｄ    折曲面部
３ｅ    フラップ部
３ｆ    折目
３ｇ    折目
４      軸受部
４ａ    ブラケット片
４ｂ    軸受孔
５      垂直翼部
５ａ    斜面
１１    打ち込み棒
１２    牽引部材
１３    ピン
【図１】
2019044479.tif 000003
【図２】
2019044479.tif 000004
【図３】
2019044479.tif 000005
【図４】
2019044479.tif 000006
【図５】
2019044479.tif 000007
【図６】
2019044479.tif 000008
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
打ち込み棒により先端側から地中に打ち込まれ、牽引部材により地中において概略水平に引き起こされて地中に係留されるアンカーであって、
全体が金属で構成され、開放する後方の基端側から閉塞して尖った前方の先端へ向かって徐々に直径が収縮するようにまっすぐに伸びる中心筒部と、この中心筒部の相対向する両横側面から放射状に半径方向へ延びる一対の翼部と、前記中心筒部における前記一対の翼部から概略９０°離れた上側面から上方へ起立する軸受部と、この軸受部の上端に連続して前方に向かって前記中心筒部の先端部上面まで傾斜して下降する斜面を有する概略三角形板状の垂直翼部とを具備し、
前記中心筒部は、基端側に、後方に向かって下方へ下がる傾斜端面と、地中に打ち込むための前記打ち込み棒を受ける底部を持つ接続管部とを具備し、
前記翼部の外側縁は、前記中心筒部の軸線と平行に延びる平行側縁部と、この平行側縁の前方端に連続して前方に向かい前記中心筒部の尖った先端から軸線方向に間隔をおいた位置の側面に向かって集束するように直線状に伸びる傾斜側縁部とを具備し、
前記軸受部は、前記牽引部材の一端を回転自在に接続するための、前記中心筒部の軸線直交方向の引止ピンを支承可能に構成され、
前記翼部は、前記中心筒部の放射方向に延びる水平面部と、この水平面部の前記中心筒部から所定距離離れた位置において当該中心筒部の軸線に沿う折目に沿って上方へ折れ曲がって延びる折曲平面部と、前記水平面部の後端に連続すると共に、前記中心筒部の側面に結合したまま、中心筒部の軸線直交方向の折り目に沿って前記中心筒部の傾斜端面と平行に折れ曲がって延びるフラップ部とを具備することを特徴とする地中アンカー。